(57)【要約】【課題】発射制御装置１の設置位置を変更することによって、発射制御基板で発射装置１の動作に必要な電力を低減することが可能な弾球遊技機を提供する。【解決手段】本発明は、発射装置１によって発射された遊技球２００を流下させる遊技盤６２を有する弾球遊技機１００に関する。本発明に係る弾球遊技機１００は、遊技球２００を遊技領域６２に案内するレール１５、１６が遊技盤６２に取り付けられており、発射装置１が遊技盤６２の水平方向の中心線より上方の部分からレール１５、１６に対して遊技球２００を発射するように設けられている。【選択図】  図１
2004329803.tif 000002
【特許請求の範囲】
【請求項１】
発射装置によって発射された遊技球を流下させる遊技盤を有する弾球遊技機であって、
前記遊技球を遊技領域に案内するレールが、前記遊技盤に取り付けられており、
前記発射装置が、前記遊技盤の水平方向の中心線より上方の部分から、前記レールに対して前記遊技球を発射するように設けられていることを特徴とする弾球遊技機。
【発明の詳細な説明】
【０００１】
【発明の属する技術分野】
本発明は、パチンコ遊技機に代表される弾球遊技機に関し、特に、遊技球を発射する発射装置と発射された遊技球を流下させる遊技盤とを含む弾球遊技機に関する。
【０００２】
【従来の技術】
図３に示すように、従来の弾球遊技機１００では、主基板や図柄制御基板や音声制御基板やランプ制御基板や払出制御基板や発射制御基板等の各種基板を動作するために、電源ユニット基板５１が、入力された交流電圧（図３の例では、ＡＣ２４Ｖ）から複数の直流電圧（図３の例では、ＤＣ３３Ｖ、１２Ｖ、５Ｖ）を生成して、電源中継基板５２が、各種基板に必要な直流電圧を分配する構成を採っている。
【０００３】
しかしながら、従来の弾球遊技機のような構成では、複数の直流電圧を生成する必要があるため、大型で高価な電源ユニット基板を用いる必要があるという問題点があった。
【０００４】
この問題点を解決するために、各種基板の動作に必要な直流電圧の種類を減らすことが望まれている。特に、図３の例では、主基板や払出制御基板や発射制御基板において、ＤＣ３３Ｖを必要としないように改良することが望まれている。
【０００５】
この点、図４に示すように、発射装置１は、遊技領域６１の下方に設けられており、発射装置１によって遊技領域６１内に到達するように遊技球２００を発射するために発射制御基板で発射装置１の動作に必要な電力を減らすことは困難であった（例えば、特許文献１）。その結果、発射制御基板においてＤＣ３３Ｖを必要としないように改良することも困難であった。
【０００６】
【特許文献１】
特開２００２−６５９６８号
【０００７】
【発明が解決しようとする課題】
そこで、本発明は、以上の点に鑑みてなされたもので、発射制御装置１の設置位置を変更することによって、発射制御基板で発射装置１の動作に必要な電力を低減することが可能な弾球遊技機を提供することを目的とする。
【０００８】
【課題を解決するための手段】
本発明に係る弾球遊技機は、発射装置によって発射された遊技球を流下させる遊技盤を有するものであって、前記遊技球を遊技領域に案内するレールが、前記遊技盤に取り付けられており、前記発射装置が、前記遊技盤の水平方向の中心線より上方の部分から、前記レールに対して前記遊技球を発射するように設けられていることを特徴とするものである。
【０００９】
かかる発明によれば、発射装置が、遊技盤の水平方向の中心線より上方の部分から、遊技領域に到達するように遊技球を発射すればよいため、発射制御基板の動作に必要な電力を低減することが可能となる。
【００１０】
【発明の実施の形態】
（本発明の第１の実施形態に係る弾球遊技機）
本発明の第１の実施形態に係る弾球遊技機について、図１を参照して説明する。
【００１１】
図１に示すように、本実施形態に係る弾球遊技機１００において、発射装置１は、遊技盤６２の水平方向の中心線より上方の部分から、内レール１５及び外レール１６の間の通路に対して、遊技球２００を発射するように設けられている。ここで、内レール１５及び外レール１６は、遊技球２００を遊技領域６１に案内するものであって、遊技盤６２に取り付けられている。
【００１２】
また、本実施形態に係る弾球遊技機１００において、スプロケット２１及び揚送通路２２が、発射装置１によって発射可能な位置まで遊技球２００を揚送する揚送装置を構成する。
【００１３】
また、本実施形態に係る弾球遊技機１００において、揚送通路２２を通過して揚送された遊技球２００を貯留する貯留皿１４と、貯留皿１４に所定数以上の遊技球２００が貯留されたことを検知する遊技球センサー１３とが設けられている。
【００１４】
貯留皿１４に所定数以上の遊技球２００が貯留されたことを検知された場合、上述のスプロケット２１は、回転を停止して遊技球２００の揚送を停止するように構成されている。
【００１５】
以下、本実施形態に係る弾球遊技機１００において、遊技球を発射する動作について、簡単に説明する。
【００１６】
第１に、遊技球２００の案内流路が左下がりに設置されている上皿１２上の遊技球２００が、スプロケット２１の回転によって揚送通路２２を通って上昇し、貯留皿１４まで揚送される。ここで、スプロケット２１の回転は、貯留皿１４に所定数以上の遊技球２００が貯留されたことを、遊技球センサー１３が検知した場合に停止する。
【００１７】
第２に、遊技者による発射レバー１１の操作によって、発射装置１は貯留皿１４に貯留されている遊技球２００を、内レール１５及び外レール１６の間の通路を介して遊技領域６１に到達するように発射する。
【００１８】
本実施形態に係る弾球遊技機１００の構成によれば、発射装置１が、遊技盤６２の水平方向の中心線より上方の部分から、遊技領域６１に到達するように遊技球２００を発射すればよいため、発射制御基板で発射装置１の動作に必要な電力を低減することが可能となる。
【００１９】
また、本実施形態に係る弾球遊技機１００の構成によれば、遊技球センサー１３が、所定数以上の遊技球２００が貯留皿に貯留された場合に、スプロケット２１が回転を停止することによって遊技球２００の揚送を停止するため、貯留皿１４から遊技球２００が溢れることによる不具合を解決することが可能となる。
【００２０】
（本発明の第２の実施形態に係る弾球遊技機）
本発明の第２の実施形態に係る弾球遊技機について、図２を参照して説明する。図２に示すように、本実施形態に係る弾球遊技機１００は、揚送装置の構成を除いて、上述の第１の実施形態に係る弾球遊技機と同一の構成である。
【００２１】
図２に示すように、ローラ４１、４２及びベルト４３が、発射装置１によって発射可能な位置まで遊技球２００を揚送する揚送装置を構成する。ここで、ベルト４３は、ローラ４１、４２の回転によって、揚送通路４４側において引張状態を保ちながら上方に移行することによって、遊技球２００を揚送通路４４に押圧しながら回転させて上方に揚送するように構成されている。
【００２２】
以下、本実施形態に係る弾球遊技機１００において、遊技球を発射する動作について、簡単に説明する。
【００２３】
第１に、遊技球２００の案内流路が左下がりに設置されている上皿１２上の遊技球２００が、ベルト４３によって揚送通路４４に押圧されながら回転して上昇し、貯留皿１４まで揚送される。ここで、ローラ４１、４２の回転は、貯留皿１４に所定数以上の遊技球２００が貯留されたことを、遊技球センサー１３が検知した場合に停止する。
【００２４】
第２に、遊技者による発射レバー１１の操作によって、発射装置１は貯留皿１４に貯留されている遊技球２００を、内レール１５及び外レール１６の間の通路を介して遊技領域６１に到達するように発射する。
【００２５】
【発明の効果】
以上説明したように本発明によれば、発射制御装置１の設置位置を変更することによって、発射制御基板で発射装置１の動作に必要とする電力を低減することが可能な弾球遊技機を提供することが可能となる。
【図面の簡単な説明】
【図１】本発明の第１の実施形態に係る弾球遊技機の構成図である。
【図２】本発明の第２の実施形態に係る弾球遊技機の構成図である。
【図３】従来技術に係る弾球遊技機の電源構成を示す図である。
【図４】従来技術に係る弾球遊技機の構成図である。
【符号の説明】
１…発射装置
１１…発射レバー
１２…上皿
１３…遊技球センサー
１４…貯留皿
１５…内レール
１６…外レール
１７…発射レール
２１…スプロケット
２２…揚送通路
４１、４２…ローラ
４３…ベルト
６１…遊技領域
６２…遊技盤
１００…弾球遊技機
２００…遊技球
【図１】
2004329803.tif 000003
【図２】
2004329803.tif 000004
【図３】
2004329803.tif 000005
【図４】
2004329803.tif 000006